(57)【要約】【課題】  つる性植物の園芸用支柱について、入手しやすい材料あるいはリサイクル材料を用いて安価で耐久性のある園芸用支柱を提供する。【解決手段】  つる性植物が木片には着根することを利用し、つる性植物の着根部分には、木製平面板を使用した。しかし木製平面板は土壌中では腐りやすいため、土壌中に埋まる基礎部はプラスチック材料あるいは金属材料を使用して、基礎部が土壌中で腐らないようにした。こうした構成により耐久性のある園芸用支柱を提供できるものである。また、木製平面板、プラスチック材料あるいは金属材料には入手しやすいリサイクル材料を利用して安価にしている。【選択図】図６
0003135926.tif 000002
【実用新案登録請求の範囲】
【請求項１】
つる性植物の園芸用支柱において、多角柱形の木製の軸芯体と、該軸芯体の各側面に、該軸芯体の軸芯に沿って、つるが着根する複数の四角形状木製平面板を接合し、該軸芯体と該四角形状木製平面板とにより形成される多角筒形の茎支持部と、該多角筒形の茎支持部の一方の開口部に、土壌に埋設して該園芸用支柱を立てるためのプラスチック製または金属製の基礎部とを連結させた園芸用支柱。
【請求項２】
多角柱形の木製の軸芯体に代えて、木製、金属製、またはプラスチック製の多角筒形を軸芯体とし、該軸芯体の側面に、該軸芯体の軸芯に沿って、つるが着根する木製平面板を接合した請求項１の園芸用支柱。
【請求項３】
つるが着根する複数の四角形状木製平面板に代えて、つるが着根する複数の台形状木製平面板を使用して、多角錐筒形の茎支持部とした請求項１または請求項２のいずれかの園芸用支柱。
【請求項４】
つるが着根する木製平面板を防腐処理した請求項１ないし請求項３のいずれかの園芸用支柱。
【考案の詳細な説明】
【技術分野】
【０００１】
本考案は、支柱に着根して成長するつる性植物の園芸用支柱に関する。
【背景技術】
【０００２】
茎であるつるが支柱表面に着根して成長するつる性植物に用いる園芸用支柱としては、通水性及び保水性に優れた天然ヘゴからなるものが広く用いられてきた。しかし天然ヘゴは、高価であり、またワシントン条約により保護され、原産国より限定量しか輸出されず入手が困難となっている。そのため天然ヘゴに代わる代替品として木製ファイバーを適量なバインダーとともに圧縮して成形された多孔質成形体の支柱が提案されている(特許文献１)。
【０００３】
本支柱は、木製ファイバーからなり、優れた通水性、通気性を有し、その表面に成形された凸状、凹状に沿ってつるが成長し、つるから出ている根が木質ファイバーの隙間に食い込んで、植物が大きく育成しても自重により滑落することがない等の効果がある。しかし、木製ファイバーは、土壌中にて腐りやすく、腐っていくと折れてしまい支柱の役割を果たせず、また土壌中の窒素成分をその腐った木製ファイバーが吸収して、植物の育成を妨げるという問題点がある。
【０００４】
また、農園芸用支柱として合成樹脂からなるものも種々提案されている。金属管を合成樹脂で被覆しその両端に合成樹脂性の栓体を挿入した農水産用支柱(特許文献２)が知られている。さらに、金属管の表面に熱可塑性樹脂を被覆し、上下両端に水密性を有するキャップを装着し、比較的硬い地面に打ち込んでも変形しない農園芸用支柱がある(特許文献３)。しかし、これらは金属管を使用しているため重量があり、内部が錆やすく、さらに廃棄するときには、合成樹脂と金属とを分別収集できないという問題点があった。
【０００５】
そこで、軽量で錆びる心配がなく、廃棄の際にはリサイクルしやすいプラスチック材料だけで形成された農園芸用支柱の提案がなされている(特許文献４)。プラスチックパイプの内部に補強リブを設け、ヒレ部を外面に成形し、実用的強度を備えたものである。
【０００６】
しかし、プラスチック材料製の農園芸用支柱は、通水性、通気性及び保水性がないため、支柱に着根して成長するつる性植物の育成に適していないという問題点や、プラスチック材料の表面が硬いため、つるの着根が支柱内部に食い込むことができず表面に張り付いただけの状態となって、つるの成長が進むと自重で滑落してしまうという現象があり、これを防止するためタッカー釘等の固定部材で植物の茎であるつるを支柱に打ちつけ固定しておく必要があり、植物の育成が遅れるとい問題点があった。
【０００７】
【特許文献１】特開平９−１６３８７２号
【特許文献２】特開２００１−１７８２７７号
【特許文献３】特開２００７−１４３４６０号
【特許文献４】特開２００５−３１２３８５号
【０００８】
長年に渡り、観葉植物等の製造販売をしてきた本願の考案者は、天然ヘゴを観葉植物の園芸用支柱として使用してきたが、前述のような理由により、天然ヘゴの使用が観葉植物等の価格を押し上げる原因ともなり、観葉植物の園芸用支柱として、天然ヘゴに代わる他の材料を選択する必要が生じていた。本願の考案者は、プラスチック材料では、前記のようにつる性植物の着根が支柱内部に食い込むことができず、表面に張り付いただけの状態となるが、木の表面ではつるが着根することを長年の経験により気付いていた。しかし木片を土壌中に埋めた場合には、その木片が土壌中で腐り、折れてしまい園芸用支柱としての機能を果たすことが出来ず、さらに腐った木片は、土壌中の窒素分を吸収してしまい、植物の生育を遅らせるという欠点がある。
【０００９】
そこで本願考案者は、その改善策として、つるが着根する部分は木製とし、土壌に埋められる部分は、プラスチックあるいは、アルミ等の金属を使用した園芸用支柱を試作し、つる性植物の支柱として有効であることを見出した。
【考案の開示】
【考案が解決しようとする課題】
【００１０】
解決しようとする問題点は、つる性植物の園芸用支柱の材料として、これまで多く使用されてきた天然ヘゴに代えて、入手しやすい材料により低価格で、かつ、耐久性のあるつる性植物の園芸用支柱を提供することである。
そのためにリサイクル可能な材料を用いて園芸用支柱の製作費用を低減させ、つるが支柱に着根する場所は、木製とし、土壌中に埋めて支柱を立てる基礎部は、プラスチック製あるいは金属製として、耐久性を上げ、さらに植物の育成に係わる土壌中の肥料分に影響を与えないようにしたものである。
【課題を解決するための手段】
【００１１】
すなわち、第１の考案は、つる性植物の園芸用支柱において、多角柱形の木製の軸芯体と、該軸芯体の各側面に、該軸芯体の軸芯に沿って、つるが着根する複数の四角形状木製平面板を接合し、該軸芯体と該四角形状木製平面板とにより形成される多角筒形の茎支持部と、該多角筒形の茎支持部の一方の開口部に、土壌に埋設して該園芸用支柱を立てるためのプラスチック製または金属製の基礎部とを連結させた園芸用支柱である。
【００１２】
木の表面には、つる性植物のつるの着根ができるため、茎支持部の平面板を木製としたものである。平面板は、四角形状や台形状を含む板状をいうものとする。軸芯体は木製平面板の幅や長さにより複数使用される場合もあり、多角筒状の茎支持部の軸となるものである。三角柱、四角柱あるいは六角柱のような多角柱であり、この多角柱の側面に、その多角柱の軸芯に沿って、つるが着根する複数の木製平面板を接合するものである。「軸芯」とは、軸芯体の断面の中心から断面に対し垂直に貫通している概念上の直線である。「多角柱の軸芯に沿って」とは、軸芯の方向と平面板の長手方向が同じであることを意味するものである。接着剤あるいは釘などにより多角柱の側面に木製平面板を接合する。なお、軸芯体と木製平面板との接合方法は、この方法に限られるものではなく任意である。木製平面板の長さ、幅は、植物の種類等により変わるもので任意であり、軸芯体である多角柱の側面の幅は木製平面板の幅にあわせて決められる。
【００１３】
木製平面板が土壌中に埋め込まれると、遣り水等により短期間で腐ってしまい、折れて支柱としての機能はなくなってしまう。そこで土壌中に埋められる基礎部は、プラスチック製または金属製としたものである。ここでプラスチックとは、ポリエチレン、ポリ塩化ビニルのような一般的な高分子材料だけでなく、プラスチックを主原料としたＦＲＰ等の複合材料も含まれる。また金属としては、鉄、アルミ及びこれらを塗装等の表面処理したものがある。なお、プラスチック製または金属性の基礎部は、板材だけでなくパイプ状あるいはこれらを組み合わせたものも利用でき、こうした材料のリサイクル品も利用することができる。
【００１４】
第２の考案は、多角柱形の木製の軸芯体に代えて、木製、金属製、またはプラスチック製の多角筒形を軸芯体とし、該軸芯体の側面に、該軸芯体の軸芯に沿って、つるが着根する木製平面板を接合した請求項１の園芸用支柱である。
【００１５】
軸芯体は、つるが着根する複数の木製平面板を接合する中心となるものであり、多角柱である必要はなく筒状であっても良い。その側面に木製の平面板を接合して、軸芯体としての役割を果たすことができる。請求項１の多角柱形の木製の軸芯体について、その内部を空洞にしたものといえる。さらに軸芯体はつるが着根することはないため、木製だけでなく、金属性あるいはプラスチック製であってもよい。
【００１６】
第３の考案は、つるが着根する複数の四角形状木製平面板に代えて、つるが着根する複数の台形状木製平面板を使用して、多角錐筒形の茎支持部とした請求項１または請求項２のいずれかの園芸用支柱である。
【００１７】
茎支持部の土壌に近い下方部の断面は広くし、上方に行き次第にその断面を狭くして、つる性植物の生育と美観を考慮した園芸用支柱である。角錐筒形とあるが、茎支持部の上方の先端が尖っている形だけではなく、軸芯体上方の先端部も平面状となっている場合もある。該台形状平面板を使用するときには、軸芯体の形状も先端が尖っていない角錐柱形あるいは角錐筒状になっている先端が尖っていないものを用いることで、軸芯体と台形状平面板とを隙間なく接合することができる。この場合には軸芯体の軸芯方向と台形状の平面板とは平行にはならず、軸芯の方向に平面板の長手方向の一端が傾斜していくようになる。
【００１８】
第４の考案は、つるが着根する木製平面板を防腐処理した請求項１ないし請求項３のいずれかの園芸用支柱である。木製の平面板を使用しているため防腐処理をして耐久性を向上させるためである。防腐処理としては、水性の防腐塗料を用いる。塗料の中には、つる性植物の生育抑制用塗料もあるので、これは使用しないように注意する。なお、一般的な水性防腐塗料であれば、これを木製の平面板にはけ塗りしても、つる性植物のつるが着根することは確認済みである。
【考案の効果】
【００１９】
第１の考案は、入手しやすい木片、プラスチック、金属材料を園芸用支柱の材料として使用し、安価な園芸用支柱が製作できることである。またそれらの材料はリサイクル材料利用することもできる。また、園芸用支柱の茎支持部を木製、筒形状にするため軽量になる効果もある。
【００２０】
第２の考案では、軸芯体の材料としては木に限られるものではなく、さらに、軸芯体を筒状形として園芸用支柱を製作する手段を広くしたことである。木製だけでなく、プラスチック製、金属性の多角筒状の形体は、廃棄物からも広く探すことが出来る。第３の考案は、つる性植物の育成と美観を向上させる効果があり、第４の考案は、園芸用支柱の耐久性を向上させる効果がある。
【考案を実施するための最良の形態】
【００２１】
以下に本考案の実施例を示す。  
【実施例１】
【００２２】
図１は、軸芯体３、平面板４、図２は基礎部５の部品図である。図１の木製の四角柱形状の軸芯体３である。軸芯体３は、住宅柱用の端材であり、断面が縦、横が約１０ｃｍ、の正方形で、長さが約５ｃｍの大きさである。平面板４も合板の端材であり厚さ約１ｃｍ、幅約１０ｃｍ長さ約６０ｃｍの大きさである。軸芯３２と平面板４を平行にして、軸芯体の側面３１と平面板４を木工用接着剤にて接着し、さらに釘で接合させ、四角筒形の茎支持部２としている。図２はプラスチック製の基礎部５であり市販のプラスチック杭を利用したものである。
【００２３】
図３はこれらを組み合わせた園芸用支柱１の概略図である。茎支持部２の下部筒内にプラスチック製の基礎部５の一部が挿入され、茎支持部２の下部筒内壁とプラスチック製の基礎部５の一部は接着剤により接合されている。
【実施例２】
【００２４】
図４(１)は、基礎部にアルミ棒を使用し、(２)はＦＲＰを使用した実施例である。(１)のアルミ棒状には陽極酸化皮膜がなされている。茎支持部の筒内に嵌合するアルミ棒は、その間幅が茎支持部２の筒の内径よりやや長くし、アルミ棒が茎支持部の内壁を押し込むようにしてスプリングの役割を果たし、さらに軸芯体にてアルミ棒が茎支持部の筒内に入る深さが決められている。(２)のＦＲＰは、茎支持部の筒内の内径に合わせ、廃棄されたＦＲＰ材料をその大きさに加工したものである。茎支持部と基礎部となるＦＲＰは、接着剤にて接合している。なお、木製平面板は土壌中に入らないように鉢の深さ等から基礎部の長さは決められる。また上記の基礎部の形状等は一例に過ぎず、他の形状であってもよい。基礎部は、園芸用支柱を垂直に立て、土壌中にて固定し、回転しないような構造とすれば足りる。
【実施例３】
【００２５】
図５は、台形状の木製平面板４と軸芯体３の側面３１に傾斜を付けたいわゆる角錐台とした軸芯体３である。台形状の木製平面体４には、水性の防腐塗料が塗られている。角錐台とした軸芯体３は、木製でありリサイクル品を再利用したものである。角錐台とした軸芯体３を複数使用し、複数枚の台形の平面体４とを接着剤及び釘打ちにより接合して茎支持部２としている。茎支持部の下部には、アルミ棒で組み立てた基礎部５が嵌合している。この嵌合方法は前述と同様である。図６では、茎支持部と基礎部が一体となって園芸用支柱１を構成し、土壌が入っている鉢６に園芸用支柱が立てられている。また茎支持部の蓋７は筒状の茎支持部内部に遣り水のときなどに、水が入らないようにするために付けたものである。
【産業上の利用可能性】
【００２６】
本考案は、入手しやすく、かつリサイクル可能な材料を用いて手軽にかつ安価に園芸用支柱を製作できることに特徴がある。茎支持部は防腐処理し、基礎部にはプラスチックあるいはアルミ等の金属を使用するため、基礎部までも木製の園芸用支柱と比較し耐用年数が長くなる。コストと耐用年数から、つる性植物の育成期間も延長でき、園芸用支柱として利用されることが期待される。
【図面の簡単な説明】
【００２７】
【図１】軸芯体と平面板の部品図
【図２】基礎部として用いたプラスチック杭
【図３】四角筒形の園芸用支柱概略図
【図４】基礎部を金属製及びＦＲＰ製とした園芸用支柱
【図５】台形の平面板とこれに用いる軸芯体
【図６】四角錐筒形の園芸用支柱と鉢
【符号の説明】
【００２８】
１    園芸用支柱
２    茎支持部
３    軸芯体  ３１  軸芯体の側面  ３２  軸芯
４    平面板
５    基礎部  ５１  プラスチック製杭の基礎部  
５２  アルミ棒で組み立てた基礎部    ５３  ＦＲＰ製基礎部
６    鉢
７  茎支持部の蓋
【図１】
0003135926.tif 000003
【図２】
0003135926.tif 000004
【図３】
0003135926.tif 000005
【図４】
0003135926.tif 000006
【図５】
0003135926.tif 000007
【図６】
0003135926.tif 000008